(57)【要約】【課題】栓体の誤った分離を防止することができて、使い勝手のよい薄肉注出容器を提供する。【解決手段】本発明の薄肉容器１は、容器本体２の一部としてその胴部２ａから突出する注出筒２ｂの先端開口２ｃに、破断予定線５を介して把手部４を有する栓体３を一体に連結すると共に、注出筒２ｂに、栓体３に設けた把手部４の下側から隙間を空けて当該把手部４に沿って延在する補助把手部６を設け、栓体３の分離により、注出筒２ｂの先端開口２ｃからの内容物を注出可能とし、把手部４と補助把手部６との間に、補助把手部６に対して把手部４を分離可能に連結する連結部７を設け、この連結部７の破断予定線８が栓体３と注出筒２ｂとの破断予定線５に対してずれるように把手部４及び補助把手部６を配置した。【選択図】図１
2010105705.tif 000002
【特許請求の範囲】
【請求項１】
容器本体の一部として当該容器本体の胴部から当該胴部の軸線に沿って上方に起立する注出筒の先端開口に、破断予定線を介して把手部を有する栓体を一体に連結すると共に、
注出筒に、栓体に設けた把手部の下側を当該把手部に沿って延在する補助把手部を設け、栓体の分離により、注出筒の先端開口からの内容物を注出可能とする薄肉注出容器であって、
把手部と補助把手部との間に、補助把手部に対して把手部を分離可能に連結する連結部を設け、
この連結部の破断予定線が栓体と注出筒との破断予定線に対してずれるように把手部及び補助把手部を配置したことを特徴とする薄肉注出容器。
【請求項２】
請求項１において、把手部と補助把手部との連結部は、把手部と補助把手部との間に掛け渡した少なくとも１つの連結片であることを特徴とする薄肉注出容器。
【請求項３】
請求項２において、把手部と注出筒とを破断可能な連結部を介して連結し、又は、補助把手部と栓体とを破断可能な連結部を介して連結したことを特徴とする薄肉注出容器。
【発明の詳細な説明】
【技術分野】
【０００１】
本発明は、容器本体の胴部から突出する注出筒に、破断予定線を介して把持部を有する栓体を設け、注出筒に設けた補助把持部を併用して当該栓体を分離することで注出筒の先端開口からの内容物を注出可能とする薄肉注出容器であって、栓体の誤った分離を防止するための技術に関するものである。
【背景技術】
【０００２】
従来の薄肉注出容器としては、注出筒の先端開口に破断予定線を介して栓体を連結し、使用の際に、栓体に設けた把持部と注出筒に設けた把持部とを用いて栓体を分離することで、内容物の注出を可能とするものがある（例えば、特許文献１参照）。
【特許文献１】特開２００６−３０６４７２号公報
【発明の開示】
【発明が解決しようとする課題】
【０００３】
しかしながら、こうした従来の薄肉注出容器では、輸送時において栓体が分離してしまうことがあった。
【０００４】
本発明は、こうした事実認識に基づいてなされたものであり、その目的とするところは、栓体の誤った分離を防止することができて、使い勝手のよい薄肉注出容器を提供することにある。
【課題を解決するための手段】
【０００５】
本発明である、薄肉注出容器は、容器本体の一部として当該容器本体の胴部から当該胴部の軸線に沿って上方に起立する注出筒の先端開口に、破断予定線を介して把手部を有する栓体を一体に連結すると共に、
注出筒に、栓体に設けた把手部の下側を当該把手部に沿って延在する補助把手部を設け、栓体の分離により、注出筒の先端開口からの内容物を注出可能とする薄肉注出容器であって、
把手部と補助把手部との間に、補助把手部に対して把手部を分離可能に連結する連結部を設け、
この連結部の破断予定線が栓体と注出筒との破断予定線に対してずれるように把手部及び補助把手部を配置したしたことを特徴とするものである。
【０００６】
本発明において、容器本体は、薄肉のブロー成形容器は勿論、合成樹脂製のフィルムからなるパウチ容器も含む。
【０００７】
本発明では、把手部と補助把手部との連結部は、把手部と補助把手部との間を、その延在方向に沿って連続的に連結した連結帯や、把手部と補助把手部との間に掛け渡した少なくとも１つの連結片とすることができる。また、把手部と注出筒とを破断可能な連結部を介して連結し、又は、補助把手部と栓体とを破断可能な連結部を介して連結することもできる。
【０００８】
また、本発明では、把手部と補助把手部とは、両者が破断可能に連結できれば、その配置及び構成を適宜変更することができるが、具体例としては、把手部を胴部軸線に対して斜め上方又は斜め下方に延在させる一方、
把手部を補助把手部と並行に胴部軸線に対して斜め上方又は斜め下方に延在させることで、把手部と補助把手部との破断予定線を、胴部軸線に対して斜め上方に延在させるものが挙げられる。
【発明の効果】
【０００９】
本発明では、把手部と補助把手部との間に、補助把手部に対して把手部を分離可能に連結する連結部を設けたことで、把手部の動きは、栓体を分離するまでの間、連結部を介して注出筒の補助把手部に拘束される。このため、栓体が外力を受けたことで栓体と注出筒との破断予定線に与える影響は、把手部と補助把手部を連結しない場合に比べて小さく済む。
【００１０】
また、かかる構成の場合、栓体と注出筒との破断予定線の構成に関しては何ら変更を必要としないので、栓体を注出筒に対して連結する強度は、従来のままで維持することができる。
【００１１】
加えて、本発明では、連結部の破断予定線が栓体と注出筒との破断予定線に対してずれるように把手部及び補助把手部を配置するから、栓体が注出筒に連結された状態で把手部から外力を受けても、その外力による影響が直接及ぶのは、把手部と補助把手部との連結部になる。即ち、栓体が把手部から外力を受けても、その影響は、把手部と補助把手部との連結部が破断した後に初めて、栓体と注出筒との破断予定線に及ぶことなる。
【００１２】
このため、かかる構成によれば、栓体が把手部から外力を受けたことで栓体と注出筒との破断予定線に与える影響は、把手部と補助把手部との連結部と、栓体と注出筒との破断予定線とを、同一線上に整列させた場合に比べて小さく済む。
【００１３】
即ち、本発明によれば、栓体又は把手部が輸送時や持ち運び時において外力を受けても、把手部と補助把手部とを単に連結した場合に比べて当該栓体は注出筒から分離し難くなる。
【００１４】
従って、本発明によれば、栓体の誤った分離を防止することができて、使い勝手のよい薄肉注出容器を提供することができる。
【００１５】
また、本発明において、把手部と補助把手部との連結部を、把手部と補助把手部との間に掛け渡した少なくとも１つの連結片とすれば、補助把手部に対する把手部の連結は、その延在方向に沿って間欠的になされるため、注出を目的として栓体を分離するときも、過度の力を要求することなく、破断させることができる。このため、かかる構成によれば、予期せぬ栓体の分離防止を図りつつ、使い勝手を更に向上させることができる。
【００１６】
また、把手部と注出筒とを、破断可能な連結部を介して連結し、又は、補助把手部と栓体とを、破断可能な連結部を介して連結すれば、把手部の動きは更に拘束されるため、予期せぬ栓体の分離防止に更に有効である。
【発明を実施するための最良の形態】
【００１７】
図１及び２はそれぞれ、本発明の第一の形態であるブロー成形スタンディング薄肉容器（以下、「薄肉容器」という）１を示す側面図及び、同形態から栓体を取り外した状態を示す斜視図である。
【００１８】
符号２は、薄肉の合成樹脂からなる容器本体２である。容器本体２は、その一部として胴部２ａを有し、この胴部２ａの内側に内容物を充填する内部空間Ｒが形成されている。
【００１９】
符号２ｂは、胴部２ａから、その中心を通る軸線（以下、「胴部軸線」という）Ｏに沿って垂直に突出して当該胴部２aの内側に形成された内部空間に通じる通路Ｐを形成する注出筒である。
【００２０】
符号３は、注出筒２ｂに形成された通路Ｐを封止する栓体である。栓体３は、破断予定線５を介して分離可能に一体に連結されている。また、栓体３には、注出筒２ｂから分離するときに用いられる把手部４が一体に形成されている。把手部４は開口Ａ1を有し、この開口Ａ1に指を引っ掛けることができる。
【００２１】
破断予定線５は、例えば、注出筒２ｂ及び栓体３よりも薄肉に構成することで、外力を付加することで切断することができる。これにより、注出筒２ｂから栓体３を分離させると、図２に示すように、注出筒２ｂの先端に、通路Ｐを介して内部空間Ｒを外界に通じさせる開口（以下、「先端開口」という）２ｃが形成される。
【００２２】
符号６は、注出筒の側面に一体に設けられた補助把手部である。補助把手部６は、図１に示す如く。栓体３に設けた把手部４の下側から隙間を空けて当該把手部４の長手方向に沿って延在する。補助把手部６も開口Ａ2を有し、この開口Ａ2に指を引っ掛けることができる。
【００２３】
符号７は、把手部４と補助把手部６との間に掛け渡された連結片である。連結片７は、把手部４と補助把手部６とを間欠的に連結し、注出筒２ｂとの間に開口Ａ3を形成する。また、連結片７は、把手部４と補助把手部６とを連結し、破断予定線８が形成されている。これにより、把手部４は通常、補助把手部６に固定されているが、連結片７に一定以上の力が負荷されると、破断予定線８が切断されることで、図２に示すように、把手部４を補助把手部６から分離させることができる。
【００２４】
また、本形態では、図１に示すように、把手部４と補助把手部６との破断予定線８が、胴部軸線Ｏに沿って下側に、栓体３と注出筒２ｂとの破断予定線５に対してずれるように、把手部４及び補助把手部６を配置している。これにより、把手部４と補助把手部６との間の隙間は、破断予定線５に対して軸線Ｏに沿って下側になるように形成される。
【００２５】
なお、把手部４及び補助把手部６の配置は、反対に、把手部４と補助把手部６との間に形成される隙間が破断予定線５に対して軸線Ｏに沿って上側になるように配置させることもできる。
【００２６】
また、本形態に係る連結片７（破断予定線８）は、同図に示すように、注出筒２ｂを胴部２ｂの軸線（以下、「胴部軸線」という）Ｏに沿って上方に起立させると共に、その把手部４を胴部軸線Ｏに対して斜め上方に延在させる一方、把手部４を補助把手部６と並行に胴部軸線Ｏに対して斜め上方に延在させることで、胴部軸線Ｏに対して斜め上方に延在させている。
【００２７】
加えて、本形態では、把手部４と注出筒２ｂとを連結し、この連結部分が破断予定線９を形成している。これにより、栓体３は通常、注出筒２ｂに固定されているが、把手部４と注出筒２ｂとの連結部分に一定以上の力が負荷されると、破断予定線９が切断されることで、把手部４を注出筒２ｂから分離させることができる。なお、破断予定線９は任意であり、把手部４を注出筒２ｂから離間させることもできる。
【００２８】
栓体３を分離して注出を行うときには、先ず、把手部４の開口Ａ1と、補助把手部６の開口Ａ2とのそれぞれに左右の指を引っ掛ける。次いで、把手部４を引き上げると、連結片７の破断予定線８が切断されることで、把手部４が補助把手部６から分離する。更に、把手部４を引き上げると、破断予定線９が切断されることで、把手部４が注出筒２ｂから分離する。
【００２９】
その後、更に、把手部４を引き上げると、破断予定線５が切断されることで、注出筒２ｂから栓体３を分離させることができる。これにより、注出筒２ｂには、先端開口２ｃが形成されるため、この先端開口２ｃから外界に向けて内容物を注出させることができる。
【００３０】
なお、図１の破線で示す符号Ｓは、内容物を充填後の充填口をシールしたシール面である。内容物を充填するときには、容器本体２の下端２ｅから充填口が突出するため、容器本体２を上下逆さまにした状態で内容物の充填を行った後、当該充填口に対してホットシール等を行うことでシール部Ｓを形成する。シール部Ｓは、同図に示すように、容器本体２の下端２ｅに押し込むことで、下端２ｅを接地部として薄肉容器１を起立させることができる。
【００３１】
図３及び４はそれぞれ、本発明の第二の形態である、薄肉容器１の変形例を示す側面図及び、同形態を栓体から示す斜視図である。なお、本形態において、第一の形態と同一部分は、同一符号をもって、その説明を省略する。
【００３２】
本形態では、補助把手部６に開口Ａ2を形成するに替えて、滑り止め６ａを設けている。このため、本形態では、栓体３を分離するに際し、把手部４を引き上げるときには、補助把手部６を摘んで引き上げることになる。
【００３３】
また、本形態では、第一の形態のように、把手部４及び注出筒２ｂ又は補助把手部６及び栓体３が連結していないため、注出に際して栓体３を比較的容易に分離させることができる。
【００３４】
なお、本形態は、栓体３の先端を開口させることで内容物の充填を行うものである。この場合、内容物の充填を行った後は、当該充填口に対してホットシール等を行う。このため、本形態では、栓体３の先端にシール部Ｓが形成されている。
【００３５】
上述したように、本発明では、把手部４と補助把手部６との間に、補助把手部６に対して把手部４を分離可能に連結する連結部７を設けたことで、把手部４の動きは、栓体３を分離するまでの間、連結部７を介して注出筒２ｂの補助把手部６に拘束される。このため、栓体３が外力を受けたことで栓体３と注出筒２ｂとの破断予定線５に与える影響は、把手部４と補助把手部６を連結しない場合に比べて小さく済む。
【００３６】
また、かかる構成の場合、栓体３と注出筒２ｂとの破断予定線５の構成に関しては何ら変更を必要としないので、栓体３を注出筒２ｂに対して連結する強度は、従来のままで維持することができる。
【００３７】
加えて、本発明では、連結部７の破断予定線８（第二の形態にあっては、連結片７の任意位置に存在する破断予定線）が栓体３と注出筒２ｂとの破断予定線８に対してずれるように把手部４及び補助把手部６を配置するから、栓体３が注出筒２ｂに連結された状態で把手部４から外力を受けても、その外力による影響が直接及ぶのは、把手部４と補助把手部６との連結部７になる。即ち、栓体３が把手部４から外力を受けても、その影響は、把手部４と補助把手部６との連結部７が破断した後に初めて、栓体３と注出筒２ｂとの破断予定線５に及ぶことなる。
【００３８】
このため、かかる構成によれば、栓体３が把手部４から外力を受けたことで栓体３と注出筒２ｂとの破断予定線５に与える影響は、把手部４と補助把手部６との連結部７と、栓体３と注出筒２ｂとの破断予定線５とを、同一線上に整列させた場合に比べて小さく済む。
【００３９】
即ち、本発明によれば、栓体３又は把手部４が輸送時や持ち運び時において外力を受けても、把手部４と補助把手部６とを単に連結した場合に比べて当該栓体３は注出筒２ｂから分離し難くなる。
【００４０】
従って、本発明によれば、栓体３の誤った分離を防止することができて、使い勝手のよい薄肉注出容器を提供することができる。
【００４１】
また、上記各形態の如く、把手部４と補助把手部６との連結部７を、把手部４と補助把手部６との間に掛け渡した少なくとも１つの連結片７とすれば、補助把手部６に対する把手部４の連結は、その延在方向に沿って間欠的になされるため、注出を目的として栓体３を分離するときも、過度の力を要求することなく、破断させることができる。このため、かかる構成によれば、予期せぬ栓体の分離防止を図りつつ、使い勝手を更に向上させることができる。
【００４２】
また、上記のように、破断予定線８を破断予定線５に対してずらした場合、第一の形態の如く、把手部４と注出筒６とを、破断可能な連結部（破断予定線９）を介して連結すれば、把手部４の動きは更に拘束されるため、予期せぬ栓体３の分離防止に更に有効である。
【００４３】
上述したところは、本発明の一形態を示したものに過ぎず、薄肉注出容器の用途に応じて様々に設計変更することができる。例えば、容器本体２としては、薄肉のブロー成形容器ではなく、合成樹脂製のフィルムからなるパウチ容器を採用することもできる。なお、パウチ容器の場合には、スパウト付きであるか否かは問わない。加えて、各形態に採用された各構成はそれぞれ、互いに適宜組み合わせることができる。
【産業上の利用可能性】
【００４４】
シャンプーやリンス、液体石鹸、化粧料等の内容物を入れておく据え置きタイプの容器としては勿論のこと、内容物を詰め替えるために用いられる容器にも適用させることができる。
【図面の簡単な説明】
【００４５】
【図１】本発明の第一の形態であるブロー成形スタンディング薄肉容器を示す側面図である。
【図２】同形態から栓体を取り外した状態を注出筒の先端開口から示す斜視図である。
【図３】本発明の第二の形態である、薄肉容器の変形例を示す側面図である。
【図４】同形態を栓体から示す斜視図である。
【符号の説明】
【００４６】
１  ブロー成形スタンディング薄肉容器
２  容器本体
2a  胴部
2b  注出筒
2c  注出栓の先端開口
３  栓体
４  把手部
５  破断予定線
６  補助把手部
７  連結片
８  破断予定線（連結片）
９  破断予定線（連結部分）
【図１】
2010105705.tif 000003
【図２】
2010105705.tif 000004
【図３】
2010105705.tif 000005
【図４】
2010105705.tif 000006